(57)【要約】両方向にバランスよく運動することができるだけでなく、運動内容が自動で保存され、分析を行うことのできる、回転方向及び運動量の測定装置を備えたフラフープを用いた運動管理装置が開示される。前記フラフープを用いた運動管理装置は、リング状の本体部と、（ａ）前記本体部の一側に備えられ、角速度を測定するジャイロセンサ、（ｂ）加速度を測定する加速度センサ、及び（ｃ）重力方向を検知する重力センサを含むセンサ部と、（１）前記センサ部で検知したデータの値を受信及び分析し、回転速度、回転方向及び回転数を計算することにより運動情報を得たり、前記データの値を送信するマイコン、（２）前記運動情報又はデータの値を外部に送信するブルートゥース（登録商標）チップを備えた通信部、及び（３）電源を供給又は遮断してコントロール部をオン／オフにする電源部を含むコントロール部を含むフラフープと、前記通信部が送信した運動情報又はデータの値を受信し、前記運動情報を表示したり、前記データの値を分析し、回転速度、回転方向及び回転数を計算することにより運動情報を得て表示する専用プログラムがインストールされた無線通信機器とを含む。【選択図】図１
2019509794.tif 000002
【特許請求の範囲】
【請求項１】
リング状の本体部と、（ａ）前記本体部の一側に備えられ、角速度を測定するジャイロセンサ、（ｂ）加速度を測定する加速度センサ、及び（ｃ）重力方向を検知する重力センサを含むセンサ部と、（１）前記センサ部で検知したデータの値を受信及び分析し、回転速度、回転方向及び回転数を計算することにより運動情報を得たり、前記データの値を送信するマイコン、（２）前記運動情報又はデータの値を外部に送信するブルートゥース（登録商標）チップを備えた通信部、及び（３）電源を供給又は遮断してコントロール部をオン／オフにする電源部を含むコントロール部を含むフラフープと、前記通信部が送信した運動情報又はデータの値を受信し、前記運動情報を表示したり、前記データの値を分析し、回転速度、回転方向及び回転数を計算することにより運動情報を得て表示する専用プログラムがインストールされた無線通信機器とを含む、フラフープを用いた運動管理装置。
【請求項２】
前記専用プログラムは、左方向及び右方向に運動した時間又は運動量を比較して表示することにより、ユーザが両方向にバランスよく運動するようにする、請求項１に記載のフラフープを用いた運動管理装置。
【請求項３】
前記専用プログラムは、運動時間におけるフラフープの傾きの平均を用いて、運動ランクを評価し、前記運動ランクは、フラフープの水平回転に対して、傾きの平均が０〜２０度であれば「上」、２０度超〜４０度であれば「中」、４０度超であれば「下」とする、請求項１に記載のフラフープを用いた運動管理装置。
【請求項４】
前記専用プログラムは、ユーザが消費するカロリーを数字と食べ物の形で表示し、前記食べ物の形は、消費したカロリーが増加するにつれて順次消えたり、現れるようにし、該当食べ物のカロリーと消費したカロリーが同じになると食べ物の形が消えたり、現れるようにする、請求項１に記載のフラフープを用いた運動管理装置。
【請求項５】
前記専用プログラムは、運動情報に基づいて腰の周囲を計算し、フラフープの回転速度が３０〜３００ｒｐｍの範囲を逸脱したり、計算された腰の周囲が２０〜４０ｉｎｃｈの範囲を逸脱すると、正常ではない運動であると判断し、記録に反映しない、請求項１に記載のフラフープを用いた運動管理装置。
【請求項６】
前記マイコン及び／又は専用プログラムには、腰の周囲によるフラフープの移動路が入力されており、運動時間における前記センサ部で検知したフラフープの移動路を対比し、対応する腰の周囲をユーザの腰の周囲であると判断する、請求項１に記載のフラフープを用いた運動管理装置。
【発明の詳細な説明】
【技術分野】
【０００１】
本発明は、回転方向及び運動量の測定装置を備えたフラフープを用いた運動管理装置に関し、より詳しくは、両方向にバランスよく運動することができるだけでなく、運動内容が自動で保存され、分析を行うことのできる、回転方向及び運動量の測定装置を備えたフラフープを用いた運動管理装置に関する。
【背景技術】
【０００２】
フラフープは、１９５７年にオーストラリアで流行し、米国、日本、韓国などに広がったが、韓国では１９５９年から盛んに用いられている。フラフープは、一般に直径１ｍ程度のプラスチック製のリング状であり、身体の腰を用いてフラフープを回転させることにより、身体の腰を鍛えて柔軟かつスマートな腰を維持したり、腹部の体脂肪を除去するための遊び道具又は運動器具である。初期には遊び道具として多く用いられたが、その後はリズム体操、ダンス、ダイエットなどの目的で用いる運動器具の用途に多く用いられている。運動器具として用いられるフラフープは、運動の効果を向上させるために１Ｋｇ以上に重量を増加させたり、腹部や腰に強い刺激を与えるためにフラフープの内部（内周面）に指圧突起を取り付けて用いたりする。運動器具として用いられるフラフープは、有酸素運動の効果を得るために少なくとも３０分以上使用しなければならないが、フラフープを一方向にのみ回転させて運動すると脊椎関連疾患が発生する恐れがあり、腰を回す単純な動作を繰り返さなければならないので、運動中に退屈することもあり、それが原因で運動が続かないという問題がある。  
【０００３】
特許文献１には、フラフープの内部に圧力センサを取り付けて運動消費カロリーと腰回転数の情報を表示し、運動方向転換通知時間を設定しておき、運動方向転換時間になるとビープ音を発するフラフープが開示されているが、運動消費カロリーと腰回転数を表示する際に、方向を区別せず、両方向の回転数を合算して表示するので、両方向にバランスよく運動することが困難であり、保存された運動情報、例えば運動消費カロリー、回転数、運動時間などをユーザが別途に記録して管理しなければならないという煩雑さがある。
【先行技術文献】
【特許文献】
【０００４】
【特許文献１】韓国公開特許第１０−１１６１１６６号公報
【発明の概要】
【発明が解決しようとする課題】
【０００５】
本発明は、両方向にバランスよく運動することができ、脊椎関連疾患の発生を予防することができ、運動情報を自動で記録管理してくれる、回転方向及び運動量の測定装置を備えたフラフープを用いた運動管理装置を提供することを目的とする。  
【０００６】
また、本発明は、取得されたデータの値を用いてユーザの腰の周囲を自動で測定することができ、それに応じた運動計画を提供する、回転方向及び運動量の測定装置を備えたフラフープを用いた運動管理装置を提供することを目的とする。
【課題を解決するための手段】
【０００７】
前記目的を達成するために、本発明は、リング状の本体部と、（ａ）前記本体部の一側に備えられ、角速度を測定するジャイロセンサ、（ｂ）加速度を測定する加速度センサ、及び（ｃ）重力方向を検知する重力センサを含むセンサ部と、（１）前記センサ部で検知したデータの値を受信及び分析し、回転速度、回転方向及び回転数を計算することにより運動情報を得たり、前記データの値を送信するマイコン、（２）前記運動情報又はデータの値を外部に送信するブルートゥース（登録商標）チップを備えた通信部、及び（３）電源を供給又は遮断してコントロール部をオン／オフにする電源部を含むコントロール部を含むフラフープと、前記通信部が送信した運動情報又はデータの値を受信し、前記運動情報を表示したり、前記データの値を分析し、回転速度、回転方向及び回転数を計算することにより運動情報を得て表示する専用プログラムがインストールされた無線通信機器とを含む、フラフープを用いた運動管理装置を提供する。
【発明の効果】
【０００８】
本発明による運動管理装置は、左右方向を区別することができるので、ユーザが両方向にバランスよく運動することができ、それにより脊椎関連疾病の発生を予防することができると共に、運動情報を自動で記録管理することができる。  
【０００９】
また、本発明による運動管理装置は、取得されたデータの値を用いてユーザの腰の周囲を測定することができ、それによりユーザに応じた運動計画を提供し、運動内容を分析することができる。
【図面の簡単な説明】
【００１０】
【図１】本発明の運動管理装置について説明するための図である。
【図２】本発明の一実施形態によるフラフープの上面図である。
【図３】本発明の一実施形態によるフラフープの運動内容検知について説明するための図である。
【図４】本発明のセンサ部を用いて運動情報を取得する過程について説明するための図である。
【図５】本発明のセンサ部を用いて運動情報を取得する過程について説明するための図である。
【図６】本発明のセンサ部を用いて運動情報を取得する過程について説明するための図である。
【図７】フラフープの直径及びユーザの運動部位の周囲によるフラフープ制御部の移動路を示す図である。
【図８】本発明の運動管理装置の他の実施形態を示す図である。
【図９】本発明のフラフープの他の実施形態を示す上面図である。
【発明を実施するための形態】
【００１１】
以下、添付図面を参照して本発明をより詳細に説明する。  
【００１２】
図１は、本発明の運動管理装置について説明するための図である。図１に示すように、本発明による回転方向及び運動量の測定装置を備えたフラフープを用いた運動管理装置１０は、回転方向及び運動量の測定装置を備えたフラフープ２０と、前記フラフープから送信されるデータの値に基づいてユーザの運動内容を表示する無線通信機器１００とを含む。  
【００１３】
図２は、本発明の一実施形態によるフラフープの上面図であり、図３は、本発明の一実施形態によるフラフープの運動内容検知について説明するための図である。図１〜図３に示すように、本発明によるフラフープ２０は、本体部２２と、制御部３０とを含む。  
【００１４】
前記本体部２２は、フラフープの形態を維持する役割を果たし、リング状を有し、通常用いられる材質及び直径で作製されてもよく、例えば、プラスチックなどの材質及び０．５〜２ｍ、好ましくは０．７〜１．５ｍの直径で作製されてもよい。  
【００１５】
前記制御部３０は、前記本体部２２の一側に備えられ、回転数及び回転方向を測定し、測定されたデータの値を送信する役割を果たすものであり、センサ部４０と、コントロール部５０とを含む。  
【００１６】
前記センサ部４０は、ユーザの運動内容（例えば、フラフープの回転数及び回転方向）を測定するものであり、ジャイロセンサ４２と、加速度センサ４４と、重力センサ４６とを含む。  
【００１７】
前記ジャイロセンサ４２は、角速度を測定するセンサであり、一軸を基準に単位時間においてフラフープが回転した角度の値が得られる。前記角速度とは、単位時間当たりに回転する角度を意味し、通常の方法で測定することができる（図４〜図６を参照）。また、前記ジャイロセンサ４２は、温度の変化によりデータの値が異なる恐れがあるので、必要に応じて、温度の変化を確認してデータの値を補正するための温度センサをさらに備えてもよい。  
【００１８】
前記加速度センサ４４は、線形加速度を測定して傾きを求めるセンサであり、前記加速度センサ４４が３次元に動く場合は、ｘ軸、ｙ軸、ｚ軸方向の加速度を測定することができ、基本的に加速度センサ４４は停止した状態で重力加速度を検知するので、ｚ軸方向に−ｇ（重力加速度）の値を示す。前記加速度センサ４４を用いた傾斜角度の測定は通常の方法で測定することができるが、例えば、前記加速度センサ４４をフラフープに強固に装着し、前記加速度センサ４４の初期出力を０として、フラフープをｙ軸方向にθ度傾けると、ｚ軸加速度データの値はａｚ＝ｇ×ｃｏｓθとなり、ｘ軸はａｘ＝ｇ×ｓｉｎθとなる。２つの式を用いると、回転した角度θはｔａｎ−１ａｘ／ａｚの式で得られる。前記加速度センサ４４は、固定された位置で水平と垂直の間の回転のみ検知できるので、前記ジャイロセンサ４２のデータの値と連動して用いられる。  
【００１９】
前記重力センサ４６は、重力方向の絶対的な方向を検知するものであり、フラフープが上下反転して（ひっくり返って）運動している場合も、重力センサ４６により地面方向（重力方向）を認識することができ、フラフープの上下方向とは関係なく左右方向を検知することができる。例えば、前記重力センサ４６としては、地磁気を用いた地磁気センサを用いてもよく、玉などの動きを用いて物理的な方法で重力方向を検知する、通常位置センサと呼ばれるセンサを用いてもよく、必要に応じて、地磁気センサと位置センサの両方を備えることで、より容易に重力方向を検知するようにしてもよい。前記地磁気センサを用いると、電源がオンになったときに重力方向を検知し、フラフープの作製時に設定した正常な上下を区別することができるので便利であり、前記位置センサを用いると、電源がオンになったときの値を基準に重力を検知して上下を区別するが、作製コストが安く、経済的である。  
【００２０】
前記コントロール部５０は、電源をオン／オフし、前記センサ部４０から送信されるデータの値を保存、分析し、かつ無線通信機器に送信する役割を果たすものであり、マイコン（ｍｉｃｒｏ  ｃｏｎｔｒｏｌｌｅｒ  ｕｎｉｔ；ＭＣＵ）５２と、通信部５４と、電源部５８と、充電部６０とを含む。  
【００２１】
前記マイコン５２は、前記センサ部４０から受信したデータの値を分析し、分析したデータの値により、回転速度、回転数及び回転方向（必要に応じて、ユーザの腰の周囲）を計算し、それを後述する通信部５４により無線通信機器１００（図１）に送信したり、前記センサ部４０から受信したデータの値を後述する通信部５４により無線通信機器１００（図１）に送信する役割を果たす。また、バッテリや電力の無駄な消費を防止するために、電源がオンになってからセンサ部４０からデータの値が所定時間、例えば、５分以上送信されないと、電源を自動で遮断する。  
【００２２】
前記通信部５４は、ブルートゥース（登録商標）チップを備えており、無線通信機器（スマートフォン、ノートパソコンなど）にブルートゥース（登録商標）通信や専用プログラム（アプリケーションなど）でデータ（運動情報など）を送信することができ、必要に応じて、前記制御部の一側にＵＳＢポートをさらに備え、ケーブルを介してＰＣと連動するようにしてもよい。  
【００２３】
前記電源部５８は、前記センサ部４０及びコントロール部５０の電源をオン／オフにする役割を果たすものであり、例えばボタンであってもよく、電源のオン（Ｏｎ）／オフ（Ｏｆｆ）状態及び／又はペアリング（ｐａｉｒｉｎｇ）状態を容易に確認するために、電源のオン／オフにより点滅表示されるようにし、好ましくは電源がオンになると点灯し、電源がオフになると消灯する照明装置６２（ＬＥＤ照明装置など）がコントロール部５０の外側に別体に形成されるか、電源部５８と照明装置６２が一体に形成され、電源ボタンを押して電源がオンになると電源ボタンが点灯するようにしてもよく、例えば、青色と赤色の２色を用いて、電源がオンになると青色が点灯し、ペアリングの状態では青色が点滅し、有線又は無線で充電しているときは赤色が点灯し、バッテリの残量が少ないと（例えば、バッテリの満充電量の１０％以下など）赤色が点滅するようにしてもよい。  
【００２４】
前記充電部６０は、通常の方法を用いて電源を充電する役割を果たすものであり、好ましくは有線充電又は無線充電方式を用いて充電できるものであり、例えば、乾電池などを用いるようにしてもよく、ＵＳＢポートが備えられ、ケーブルを用いて外部から電力が供給されて充電するようにしてもよく、無線充電部が備えられて無線充電するようにしてもよい。  
【００２５】
本発明のコントロール部５０は、必要に応じて、ユーザの運動内容を所定期間保存する役割を果たすメモリ部５６をさらに含んでもよい。前記メモリ部５６は、前記通信部５４により送信したデータの値（ユーザの運動内容）が消えたり、専用プログラム又は無線通信機器に問題が生じた場合、所定期間の間、例えば１〜１０日間、好ましくは１〜３日間の運動情報がメモリ部５６に保存されているので、ユーザの運動内容を安全に復元することができる。  
【００２６】
前記無線通信機器１００には、前記通信部から送信されるデータの値を受信するための専用プログラムがインストールされており、前記送信されるデータの値に基づいて専用プログラムにリアルタイムでフラフープの動きを示すことができる。  
【００２７】
また、前記専用プログラムは、前記マイコン５２で分析及び計算したデータを受け取ってユーザに表示したり、前記マイコン５２から送信したデータの値を通信部５４を介して受信し、受信したデータの値により回転速度、回転数及び回転方向（必要に応じて、ユーザの腰の周囲）を計算してユーザに表示することもできるが、前記マイコン５２で回転速度、回転数及び回転方向（必要に応じて、ユーザの腰の周囲）を計算するためには、マイコン５２の性能が優れていなければならず、作製コストが上昇することがあるので、前記専用プログラムでデータの値を受信して回転速度、回転数及び回転方向（必要に応じて、ユーザの腰の周囲）を計算することが好ましい。  
【００２８】
また、前記専用プログラムは、運動したデータの値を用いて、運動して消費したカロリーを数字で表示することもでき、好ましくは数字の表示と並行してユーザが選択した食べ物又は専用プログラム（システム）が推奨する食べ物（例えば、ランダム方式など）、例えば、ピザ、フライドチキン、チャジャンミョン、ケーキ、ご飯、肉などを表示し、カロリーの消費に応じて表示している食べ物が順次消えたり、現れるようにし、ユーザに現在している運動の効果を容易に理解させてもよい。例えば、専用プログラムに鶏もも肉（通常の鶏もも肉のカロリーを１９１Ｋｃａｌとする場合）の形が表示され、ユーザの運動量に応じて、４０Ｋｃａｌの運動をすると前記鶏もも肉の形の１／５が消え、１００Ｋｃａｌの運動をすると鶏もも肉の形の約１／２が消え、該当カ
ロリー（１９１Ｋｃａｌ）の運動をすると鶏もも肉の形が消えるなどの形態であってもよく、ユーザの運動量に応じて、４０Ｋｃａｌの運動をすると前記鶏もも肉の形の１／５が現れ、１００Ｋｃａｌの運動をすると鶏もも肉の形の約１／２が現れ、該当カロリー（１９１Ｋｃａｌ）の運動をすると鶏もも肉の形が現れるなどの形態であってもよい。  
【００２９】
本発明による運動管理装置は、フラフープの電源がオフになるとユーザの運動が終了したものと認識し、その後前記マイコン５２又は専用プログラムでは計算した運動内容を分析し、ユーザが両方向にバランスよく運動したか否か（例えば、左方向及び右方向に運動した時間及び／又は運動量を比較）を確認し、前記専用プログラムによりユーザに通知メッセージを示すことにより、ユーザが正しく運動（両方向にバランスよい運動など）できるようにサポートすることができる。また、専用プログラムに保存されているユーザの過去の運動内容に基づいて、ユーザの運動量が増加したり、怠けることなく運動を続けた場合、前記専用プログラムに「よくできました。」、「昨日に比べて、運動量がｘ増加しました。」などの通知メッセージを示すことにより、ユーザが運動を続ける意欲を持たせることができる。ここで、ｘは当日の運動量／前日の運動量である。  
【００３０】
図４〜図６は、本発明のセンサ部を用いて運動情報を取得する過程について説明するための図である。図４〜図６に示すように、本発明のフラフープについて図４〜図６の飛行機を例に説明する。ユーザが腰の運動によりフラフープを回転させると、ジャイロセンサがヨー（ｙａｗ）、ロール（ｒｏｌｌ）及びピッチ（ｐｉｔｃｈ）を検知するが、前記ヨー（ｙａｗ）値は、フラフープの回転に応じて０〜３６０度の間で変化し、最初は０度であったヨー値が３６０度回転すると、回転数が１であると判断する。ここで、前記ヨー（ｙａｗ）は、左向き及び右向きによる変化値を示し、ピッチ（ｐｉｔｃｈ）は、上向き及び下向きによる変化値を示し、ロール（ｒｏｌｌ）は、左傾斜及び右傾斜による変化値を示す。  
【００３１】
また、ユーザがフラフープを回転させるときにフラフープが傾きを有して回転することもあるが、その場合はピッチ（ｐｉｔｃｈ）値の変化を検知することにより、水平回転であるか、傾きを有して回転しているかを区別することができる。運動時間において、水平に回転させた運動時間と傾きを有して回転させた運動時間との比率を計算し、ユーザの運動内容をレベル（ランク）に分けて評価するようにしてもよく、好ましくは、上、中、下で評価し、例えば、水平回転に対して（ユーザに垂直方向）、傾きの平均が０〜２０度（ｄｅｇｒｅｅ）であれば上、２０度超〜４０度であれば中、４０度超であれば下と評価するようにしてもよい。  
【００３２】
通常フラフープのユーザは、フラフープを利用する際に上下を区別せずに用いることが多いが、重力センサの値によりフラフープの上下を絶対値で区別することができるので、フラフープをひっくり返して用いても回転方向を正確に区別することができる。  
【００３３】
ユーザがフラフープを用いて運動していて所定時間運動をしなかったり（例えば、５０〜７０秒、好ましくは５５〜６５秒）、フラフープの上下をひっくり返した場合、ジャイロセンサ、加速度センサ及び重力センサがこれを検知し、以前の運動を記録すると共に、以前の運動を終了して新たな運動を始めたものと判断する。  
【００３４】
フラフープの特性上、フラフープを回転させる際に、回転速度が非常に速かったり、非常に遅い場合、あるいは腰の周囲が非常に小さく測定されたり、非常に大きく測定された場合、例えば、前記回転速度は、３０〜３００ｒｐｍ（ｒｅｖｏｌｕｔｉｏｎｓ  ｐｅｒ  ｍｉｎｕｔｅ）、好ましくは６０〜１８０ｒｐｍの範囲であり、前記腰の周囲は、２０〜４０ｉｎｃｈ、好ましくは２５〜３５ｉｎｃｈの範囲である。前記回転速度及び腰の周囲を逸脱した場合、単に運動情報を向上させるために正常ではない方法、すなわち人の腰による運動ではない他の方法、例えば指で回転させたり、機械を用いて回転させたものとみなし、ユーザの運動記録に反映せず、必要に応じて、後述する無線通信機器により通知メッセージをユーザに示すようにしてもよい。前記機能は、ユーザが後述する複数のユーザ間のランキングシステム又はゲーム（例えば、回転数、運動量又は回転速度の対決など）を用いる場合に、不正を防止し、より公正な成績で競争できるようにするためのものである。  
【００３５】
また、バッテリや電力の無駄な消費を防止するために、フラフープの回転が所定時間、例えば６０秒以上、好ましくは６０〜７０秒間検知されないと、運動を終了したものと判断し、終了以前に行った運動に関するデータの値に基づいて運動情報を分析する。  
【００３６】
図７は、フラフープの直径及びユーザの運動部位の周囲によるフラフープ制御部の移動路を示す図である。図７に示すように、ユーザがフラフープを回転させる際に、フラフープの一側に備えられたセンサは、ユーザの体との密着、離隔を繰り返すので、ヨー（ｙａｗ）値は回転角が徐々に増加したり、減少することが周期的に繰り返され、回転角の変化は、ユーザの運動部位の周囲（腰又は首の周囲）及びフラフープの直径によって変化するので、好ましくは、運動部位の周囲（腰又は首の周囲）が大きいと回転角の変化が小さく（穏やかであり）、運動部位の周囲（腰又は首の周囲）が小さいと変化が大きいため、例えば、フラフープの直径が１ｍの場合（図７のａ及びｃ）は、腰の直径が１．２５ｍの場合（図７のａ）や、首の直径が０．１２５ｍの場合（図７のｃ）よりフラフープの移動路が穏やかであることが分かり、運動部位（腰又は首）の直径が同じ場合（図７のａとｂ、ｃとｄ）は、フラフープの直径が大きいほど（図７のａ及びｃは１ｍ、ｂ及びｄは１．２５ｍ）フラフープの移動路がさらに増加することが分かる。よって、ユーザがフラフープを用いて運動する際に、前記マイコンに移動路による様々な、例えば２０〜４０ｉｎｃｈ、好ましくは２５〜３５ｉｎｃｈの運動部位の周囲（腰又は首）及び／又は様々なフラフープの直径によるフラフープの移動路に関するデータを入力しておき、センサで検知されたデータの値を用いてフラフープの移動路を測定することができ、測定されたフラフープの移動路と入力されている移動路とを対比し、対応する運動部位の周囲（腰又は首）をユーザの腰又は首の周囲であると判断し、それにより各ユーザに応じた運動方法及び運動時間を案内することができる。  
【００３７】
本発明のフラフープは、１時間運動すると約４２０カロリーのエネルギーを消費する有酸素運動であり、それと同時に必要空間が小さく、場所にとらわれずに簡単に運動することができ、センサで測定された運動情報（例えば、左右方向ごとの運動時間、フラフープの回転数など）が通信部により電子機器に自動送信されて保存、分析されるので（例えば、運動消費カロリーなど）、運動する度に運動情報、運動時間をユーザが直接記録しなければならない煩雑さがないという長所がある。  
【００３８】
図８は、本発明の運動管理装置の他の実施形態を示す図である。図８に示すように、本発明による運動管理装置は、ユーザに効果的な運動方法を提案し、複数のユーザと記録を競争する一種のランキングシステムを用いたり、知人らとグループを形成して運動内容に基づいて運動に対する意欲を向上させることができるように、専用プログラムの運動情報を送受信できる運動情報管理サーバ及びコーチングエンジンをさらに備えてもよい。前述したように、ユーザの運動情報は、フラフープ２０のコントロール部により無線通信機器１００に送信され、無線通信機器１００に送信されて取得されたユーザの運動情報は、専用プログラム（アプリケーションなど）を介して運動情報管理サーバ２００に送信されて収集され、収集されたデータに基づいて、様々な腰の周囲に応じた運動情報が入力されたコーチングエンジン３００でユーザの運動内容を分析し、腰の周囲、体重などに適した運動内容、例えば必要な方向別回転数、運動時間などが運動情報管理サーバ２００に送信され、送信された運同内容がユーザの無線通信機器１００に送信され、ユーザは現在自分に必要な運動内容が分かるので、効果的な運動をすることができる。  
【００３９】
また、専用プログラムに備えられている掲示板などを用いて、不特定のグループを形成したり、知人らとグループを形成し、個別運動情報を用いて、グループに各自の運動量を表示することにより、運動に対する意欲を鼓舞することができる。  
【００４０】
図９は、本発明のフラフープの他の実施形態を示す上面図である。図９に示すように、本発明によるフラフープは、本体部２２の内周面に着脱可能に取り付けられる一般型本体部３０２又は突起型本体部３０４をさらに備えてもよい。前記一般型本体部３０２は、通常用いられるフラフープの形状であって、内側が平らな形状であり（図９のａを参照）、前記突起型本体部３０４は、腰に強い刺激を与えて運動効果を増大させるために、内周面に沿って複数の突起３０６が所定の間隔（例えば、３〜２０ｃｍ間隔、好ましくは５〜１５ｃｍ間隔）で形成されている（図９のｂを参照）。  
【００４１】
以上、図面を参照して本発明による運動管理装置を説明したが、本発明は、前記説明に限定されるものではなく、下記特許請求の範囲に記載された範囲内で様々な変形を施すことができる。
【図１】
2019509794.tif 000003
【図２】
2019509794.tif 000004
【図３】
2019509794.tif 000005
【図４】
2019509794.tif 000006
【図５】
2019509794.tif 000007
【図６】
2019509794.tif 000008
【図７】
2019509794.tif 000009
【図８】
2019509794.tif 000010
【図９】
2019509794.tif 000011
【国際調査報告】
2019509794.tif 000012
2019509794.tif 000013
2019509794.tif 000014
2019509794.tif 000015